(57)【特許請求の範囲】
【請求項１】
発信処理した相手先電話情報に基づく発信データを発信履歴メモリに格納し、着信処理した発信元電話情報に基づく着信データを着信履歴メモリに格納し、前記発信履歴メモリと前記着信履歴メモリのそれぞれの記憶内容を任意に選択して表示させ得る通信端末機において、
前記着信履歴メモリに格納された着信データに対応する相手先に対して発信処理がなされたときに、前記着信履歴メモリの中の当該着信内容を消去すると共に、該発信処理に伴って前記発信履歴メモリに格納される発信内容に、前記当該着信内容を付加して格納するように制御する記憶制御手段を具備することを特徴とする通信端末機における発着信履歴の記憶制御装置。
【請求項２】
発信処理した相手先電話情報に基づく発信データを発信履歴メモリに格納し、着信処理した発信元電話情報に基づく着信データを着信履歴メモリに格納し、前記発信履歴メモリと前記着信履歴メモリのそれぞれの記憶内容を任意に選択して表示させ得る通信端末機において、
任意にダイアルして発信処理された相手先が前記着信履歴メモリに格納された着信データに該当したときに、当該着信内容を消去し、該発信処理に伴って前記発信履歴メモリに格納される発信内容に、前記当該着信内容を付加して格納するように制御する記憶制御手段を具備することを特徴とする通信端末機における発着信履歴の記憶制御装置。
【請求項３】
前記発信履歴メモリに格納される発信データは、相手先電話番号と発信日時を有して形成することを特徴とする請求項１または請求項２に記載の通信端末機における発着信履歴の記憶制御装置。
【請求項４】
前記着信履歴メモリに格納される着信データは、相手先電話番号と着信日時を有して形成することを特徴とする請求項１ないし請求項３のいずれかに記載の通信端末機における発着信履歴の記憶制御装置。
【請求項５】
前記発信履歴メモリおよび前記着信履歴メモリのそれぞれに格納される発信データと着信データは、着信および／または発信の相手先電話番号が、予め電話帳データ等に記憶されている電話番号に一致したときに、該当電話番号に対応する氏名等のデータに置替えて形成することを特徴とする請求項１ないし請求項４のいずれかに記載の通信端末機における発着信履歴の記憶制御装置。
【発明の詳細な説明】
【０００１】
【発明の属する技術分野】
本発明は、通信端末機における発着信履歴の記憶制御装置に関し、特に、発信処理した相手先電話情報に基づく発信データを発信履歴メモリに格納し、着信処理した発信元電話情報に基づく着信データを着信履歴メモリに格納し、発信履歴メモリと着信履歴メモリのそれぞれの記憶内容を任意に選択して表示させ得る記憶制御装置に関する。
【０００２】
【従来の技術】
近年の携帯電話端末機等の通信端末機は、音声送受信やデータ送受信を行うという基本機能に多種多様な付加機能が設けられている。この付加機能の中に、着信履歴を記憶して適宜に表示する着信履歴表示機能と、発信履歴を記憶して適宜に表示する発信履歴表示機能がある。
【０００３】
着信した際に処理されて記憶された着信データは、着信履歴メモリに、着信日時、相手先の電話番号および相手先の名前として記憶される。これらは、着信時刻の順番に現時間から記憶され、過去にさかのぼり、着信格納件数が着信履歴メモリの記憶容量を超える場合には最も過去のデータが自動消去されていく。この着信履歴メモリに記憶された情報は、ユーザーが適宜のときにキー操作することによって取り出して表示させることができる。
【０００４】
発信した際に処理されて記憶された発信データは、発信履歴メモリに、日時、相手先の電話番号および相手先の名前として記憶される。これらは、発信時刻の順番に現時間から記憶され、過去にさかのぼり、発信格納件数が発信履歴メモリの記憶容量を超える場合には最も過去のデータが自動消去されていく。この発信履歴メモリに記憶された情報は、ユーザーが適宜のときにキー操作することによって取り出して表示させることができる。
【０００５】
一方、着信履歴メモリに格納された着信データを取り出して表示させ、該表示された電話番号に対して発信操作を行うと、発信履歴メモリに発信日時と相手先の電話番号および相手先の名前として発信履歴メモリに記憶される。これらの発信情報は、着信履歴情報と同様にして発信時刻順に発信履歴メモリに格納され、発信格納件数が発信履歴メモリの記憶容量を超えると最も過去のデータが自動消去されていく。
【０００６】
他方、発信履歴と着信履歴は、それぞれが独立して別々に記憶されているので、ユーザーは発信または着信のいずれを表示させるかを選択した後に、これらの表示を確認し、発信履歴および着信履歴を表示確認することによって発信すべき相手がいるかどうかの確認を行ったりして相手との円滑な通話が図れるようにしている。
【０００７】
なお、着信履歴の表示で相手先の「名前」が表示可能な場合とは、自機の持っている電話帳メモリに予め設定している電話番号データと相手先電話番号が一致したときであり、相手先が番号非通知等で電話番号データを得られない場合には電話番号表示がなされず、着信の時刻のみが表示される。また、発信履歴の表示で相手先の「名前」が表示可能な場合とは、自機の持っている電話帳メモリに予め設定している電話番号データと相手先電話番号が一致したときである。
【０００８】
【発明が解決しようとする課題】
従来の通信端末機における発着信履歴の記憶制御装置は、着信をしてから着信履歴メモリに記憶され、その情報を読み出して表示をし、その履歴に基づく電話番号への発信を行った場合には、着信履歴メモリとは別の発信履歴メモリに記憶している。
【０００９】
従って、いつ着信したときの履歴に対しての発信であるかという確認を行うには、発信履歴と着信履歴のそれぞれに対して表示を行って確認を行わなければならず、時間と手間が掛かり使い勝手が悪いという問題がある。
【００１０】
また、発信履歴メモリと着信履歴メモリのそれぞれに記憶されている情報に対しても、単に着信履歴の記憶および表示だけであれば、履歴としての役割は満たしているが、着信履歴から読み出し表示をし、その直後に発信をする操作を行う場合には着信履歴と発信履歴との間での相関関係が明確に判らないという問題もある。
【００１１】
さらに、随時に着信と発信の両方に対して着信履歴メモリと発信履歴メモリの両方に記憶されている過去の古い履歴が残されていること、即ち、着信履歴メモリに格納されている内容と同様のものが発信履歴メモリにも重複して格納されているということはメモリの有効利用の面で問題がある。
【００１２】
そこで、本発明の目的は、着信と発信のそれぞれの履歴を記憶するに際して、着信履歴メモリと発信履歴メモリへのデータ格納を効率よく行え、着信と発信の相関関係を明確に識別できるようにした通信端末機における発着信履歴の記憶制御装置を提供することにある。
【００１３】
【課題を解決するための手段】
前記課題を解決するために、本発明は次に記載するような特徴的な構成を採用している。
【００１４】
（１）発信処理した相手先電話情報に基づく発信データを発信履歴メモリに格納し、着信処理した発信元電話情報に基づく着信データを着信履歴メモリに格納し、前記発信履歴メモリと前記着信履歴メモリのそれぞれの記憶内容を任意に選択して表示させ得る通信端末機において、
前記着信履歴メモリに格納された着信データに対応する相手先に対して発信処理がなされたときに、前記着信履歴メモリの中の当該着信内容を消去すると共に、該発信処理に伴って前記発信履歴メモリに格納される発信内容に、前記当該着信内容を付加して格納するように制御する記憶制御手段を具備する通信端末機における発着信履歴の記憶制御装置。
【００１５】
（２）発信処理した相手先電話情報に基づく発信データを発信履歴メモリに格納し、着信処理した発信元電話情報に基づく着信データを着信履歴メモリに格納し、前記発信履歴メモリと前記着信履歴メモリのそれぞれの記憶内容を任意に選択して表示させ得る通信端末機において、
任意にダイアルして発信処理された相手先が前記着信履歴メモリに格納された着信データに該当したときに、当該着信内容を消去し、該発信処理に伴って前記発信履歴メモリに格納される発信内容に、前記当該着信内容を付加して格納するように制御する記憶制御手段を具備する通信端末機における発着信履歴の記憶制御装置。
【００１６】
（３）前記（１）または前記（２）の発信履歴メモリに格納される発信データは、相手先電話番号と発信日時を有して形成する通信端末機における発着信履歴の記憶制御装置。
【００１７】
（４）前記（１）ないし前記（３）のいずれかの着信履歴メモリに格納される着信データは、相手先電話番号と着信日時を有して形成する通信端末機における発着信履歴の記憶制御装置。
【００１８】
（５）前記（１）ないし前記（４）のいずれかの発信履歴メモリ、および前記（１）ないし前記（４）のいずれかの着信履歴メモリのそれぞれに格納される発信データと着信データは、着信および／または発信の相手先電話番号が、予め電話帳データ等に記憶されている電話番号に一致したときに、該当電話番号に対応する氏名等のデータに置替えて形成する通信端末機における発着信履歴の記憶制御装置。
【００１９】
【発明の実施の形態】
以下、本発明の一実施の形態による「通信端末機における発着信履歴の記憶制御装置」を図面に基づいて詳細に説明する。図１は、本発明による記憶制御装置を用いた通信端末機の概略回路構成を示す図で、通信端末機１の有するアンテナ２は、処理制御部４によって制御される無線通信処理部３に接続され、無線通信処理部３による送信電波と受信電波の制御が適正に行われる。
【００２０】
処理制御部４は、通信制御部５と報知制御部８を有し、計時処理部７によって生成される時間データに基づいてメッセージ作成処理部６で着信と発信のメッセージ、即ち「発信」や「着信」なる表示文字データ、日時データ、氏名データ、その他データがキー入力部１０からの操作によって記憶部１２の格納データに基づいて表示部１１に表示されるとともに、報知制御部８による制御で鳴動部９に着信音、キー操作音等の鳴動が制御される。
【００２１】
記憶部１２は、不揮発性の半導体メモリで構成され、その中は図２に概念的に示すように、発信履歴データが格納される発信履歴メモリ１３と、着信履歴データが格納される着信履歴メモリ１４と、これ以外の各種データ情報が記憶されるその他メモリ１５を有している。
【００２２】
この発信履歴メモリ１３の中に格納されるデータは、図３に模式的に示されるように、発信データＴ１から発信データＴ２、Ｔ３……Ｔ（ｎ−１），Ｔｎとしてｎ個のデータが格納できる容量を有している。
【００２３】
また、着信履歴メモリ１４の中に格納されるデータは、図４に模式的に示されるように、着信データＲ１から着信データＲ２、Ｒ３……Ｒ（ｍ−１），Ｒｍとしてｍ個のデータが格納できる容量を有している。
【００２４】
このような発信履歴メモリ１３には、１件の発信がある都度に１つの領域に、「発信日時、相手先電話番号」のデータが格納され、次の発信があったときに１つづつシフトされて格納され、格納件数がｎを超えたときには、最も古いデータが消去される。着信履歴メモリ１４も発信履歴メモリ１３と同様にして１件の着信がある都度に１つの領域に、「着信日時、相手先電話番号」のデータが格納され、次の着信があったときに１つづつシフトされて格納され、格納件数がｍを超えたときには、最も古いデータが消去される。
【００２５】
また、発信処理された相手先が着信履歴メモリ１４に格納された着信データＲ１…Ｒｍのいずれかに該当したときに、当該着信内容を消去するように制御する記憶制御手段が設けられている。着信履歴メモリ１４に格納された着信データＲ１…Ｒｍのいずれかに対応する相手先に対して発信処理がなされたときに、着信履歴メモリ１４の中の当該着信内容を消去すると共に、発信処理に伴って発信履歴メモリ１３に格納される発信内容に、当該着信内容を付加して格納するように制御する記憶制御手段が設けられている。任意にダイアルして発信処理された相手先が着信履歴メモリ１４に格納された着信データＲ１…Ｒｍのいずれかに該当したときに、当該着信内容を消去し、発信処理に伴って発信履歴メモリ１３に格納される発信内容に、当該着信内容を付加して格納するように制御する記憶制御手段が設けられている。
【００２６】
従って、着信の都度の着信履歴メモリ１４に対するデータ格納が図５に示す符号１４ａのようになされ、発信の都度の発信履歴メモリ１３に対するデータ格納が符号１３ａのようになされる。これらの着信データＲ１…Ｒｍは、任意の時点でキー入力部１０による操作によって着信履歴メモリ１４から取り出されて表示部１１に１件単位で表示させることができ、例えば図６に示すように着信表示ＲＤ１…ＲＤ７のように表示される。最も新しい着信表示ＲＤ１の場合には、「着信」なるモード表示と、「００．０３．２９．」なる着信日表示と、「１３：００」なる着信時刻表示と、「０９０……」なる電話番号の表示ａとで形成される。
【００２７】
以下同様にして着信表示ＲＤ２…ＲＤ７のそれぞれの表示は、モード表示と着信日表示と着信時刻表示と電話番号の表示ｂ，ｃ，ｄ，ｅ，ｆ，ｇとで形成される。なお、表示ｅは、電話番号表示ではなく、通信端末機１に設けられている電話帳メモリ（図示せず）に格納された登録データに着信電話番号が一致したときに表示される氏名である「自宅」という文字に置き換えられている。
【００２８】
一方、発信データＴ１…Ｔｎは、任意の時点でキー入力部１０による操作によって発信履歴メモリ１３から取り出されて表示部１１に１件単位で表示させることができ、例えば図７に示すように発信表示ＴＤ１…ＴＤ７のように表示される。最も新しい発信表示ＴＤ１の場合には、「発信」なるモード表示と、「００．０３．２９．」なる発信日表示と、「２３：００」なる発信時刻表示と、「０４６２……」なる電話番号の表示ｈとで形成される。
【００２９】
以下同様にして発信表示ＴＤ２…ＴＤ７のそれぞれの表示は、モード表示と発信着日表示と発信時刻表示と電話番号の表示ｈ，ｉ，ｊ，ｋ，ｌ，ｍ，ｎとで形成される。なお、表示ｋは、電話番号表示ではなく、通信端末機１に設けられている電話帳メモリ（図示せず）に格納された登録データに発信電話番号が一致したとき、または登録されている「友人Ａ」という選択をしたときに当該電話番号に置き換えて表示される氏名であり、表示ｌも同様にして置き換えられた「友人Ｂ」である。
【００３０】
そして、例えば図６に示す着信表示ＲＤ３を選択して確認し、表示ｃなる電話番号に発信（リダイアル）した場合には、発信履歴メモリ１３に当該内容がデータ格納されると同時に着信履歴メモリ１４の中の着信表示ＲＤ３に対応するデータ（図５に示す着信データＲ３）が消去され、着信データＲ２の次に着信データＲ４が繰り上げられる。これと同時に発信表示は、図７に示すように発信日時表示ｏと電話番号の表示ｃ（前述の図６の着信表示データＲＤ３の符号ｃと同一内容文字）が表示されるとともに、着信日時の表示ｃ１（前述の図６の着信表示データＲＤ３の符号ｃ１と同一）が表示され、新データによる表示を行うことができる。
【００３１】
また、図６に示す着信表示ＲＤ５を選択して確認し、表示ｅなる氏名に該当する電話番号に発信（リダイアル）した場合には、発信履歴メモリ１３に当該内容がデータ格納されると同時に着信履歴メモリ１４の中の着信表示ＲＤ５に対応するデータ（図５に示す着信データＲ５）が消去され、着信データＲ４の次に着信データＲ６が繰り上げられる。これと同時に発信表示は、図７に示すように発信日時表示ｐと氏名の表示ｅ（前述の図６の着信表示データＲＤ５の符号ｅと同一内容文字）が表示されるとともに、着信日時の表示ｅ１（前述の図６の着信表示データＲＤ５の符号ｅ１と同一内容文字）が表示され、新データによる表示を行うことができる。
【００３２】
従って、着信履歴メモリ１４の格納領域は、図５の符号１４ｂに示すように空き領域が生じるのでメモリの有効利用が図れる。また、発信履歴メモリ１３と着信履歴メモリ１４のそれぞれに記憶されている情報に対して、着信履歴と発信履歴との間での相関関係が明確に判るので、いつ着信したときの履歴に対しての発信であるかという確認を表示選択などで行う必要がないので手間が掛からず使い勝手が向上する。
【００３３】
【発明の効果】
以上の説明で明らかなように、本発明による通信端末機における発着信履歴の記憶制御装置は、着信履歴メモリに格納された着信データに対応する相手先に対して発信処理がなされたときに、着信履歴メモリの中の当該着信内容を消去すると共に、該発信処理に伴って前記発信履歴メモリに格納される発信内容に、前記当該着信内容を付加して格納するように制御する記憶制御手段を具備したり、または、任意にダイアルして発信処理された相手先が前記着信履歴メモリに格納された着信データに該当したときに、当該着信内容を消去し、該発信処理に伴って前記発信履歴メモリに格納される発信内容に、前記当該着信内容を付加して格納するように制御する記憶制御手段を具備しているので、いつ着信したときの履歴に対しての発信であるかという確認を繁雑な手順で行う必要がなく、使い勝手が向上し、着信履歴と発信履歴との間での相関関係が明確に判ると共に、発信履歴メモリと着信履歴メモリの有効利用の面で効率的である。
【００３４】
従って、着信と発信のそれぞれの履歴を記憶するに際して、着信履歴メモリと発信履歴メモリへのデータ格納を効率よく行え、着信と発信の相関関係を明確に識別できるようにした通信端末機における発着信履歴の記憶制御装置を提供することができる。
【図面の簡単な説明】
【図１】本発明の一実施の形態による通信端末機における発着信履歴の記憶制御装置の概略回路構成を示すブロック回路図である。
【図２】図１中に示され記憶部の詳細構成を示す図である。
【図３】図２中に示される発信履歴メモリへの発信データの格納状態を概念的に示す図である。
【図４】図２中に示される着信履歴メモリへの着信データの格納状態を概念的に示す図である。
【図５】図３と図４のそれぞれに示される発信履歴メモリと着信履歴メモリへのデータ格納動作を説明するための図である。
【図６】図１中に示される表示部に表示される発信履歴の表示動作を説明するための図である。
【図７】図１中に示される表示部に表示される着信履歴の表示動作を説明するための図である。
【符号の説明】
１  通信端末機
２  アンテナ
３  無線通信処理部
４  処理制御部
５  通信制御部
６  メッセージ作成処理部
７  計時処理部
８  報知制御部
９  鳴動部
１０  キー入力部
１１  表示部
１２  記憶部
１３  発信履歴メモリ
１４  着信履歴メモリ
１５  その他メモリ
【図１】
0003614344.tif 000002
【図２】
0003614344.tif 000003
【図３】
0003614344.tif 000004
【図４】
0003614344.tif 000005
【図５】
0003614344.tif 000006
【図６】
0003614344.tif 000007
【図７】
0003614344.tif 000008